(57)【要約】【課題】付加的な傾斜センサを使用せずに前記の欠点を十分に除去し、低コストで実現可能な傾斜制御部を備える、光学的記録担体のための再生または記録装置のための方法および装置を提供することである。【解決手段】光学的記録担体から検出された高周波信号の、検出された高周波信号のダーク値を表わす下側包絡曲線信号を傾斜制御に使用する。【選択図】図１
2004335090.tif 000002
【特許請求の範囲】
【請求項１】
光学的記録担体（ＯＤ）に対する再生または記録装置に対して、走査ビームの傾斜制御を行う方法において、
光学的記録担体（ＯＤ）から検出された高周波信号（ＨＦ）の、検出された高周波信号（ＨＦ）のダーク値を表わす下側包絡曲線信号（ｌｏ）を傾斜制御に使用する、
ことを特徴とする方法。
【請求項２】
高周波信号（ＨＦ）は、光学的記録担体（ＯＤ）から検出され、ハイパスフィルタリング後に再現された情報信号として使用される高周波信号（ＨＦ）である、請求項１記載の方法。
【請求項３】
高周波信号（ＨＦ）は、光学的記録担体（ＯＤ）から検出された、光学的記録担体（ＯＤ）の掃引信号（ＷＯＢ）である、請求項１記載の方法。
【請求項４】
下側包絡曲線信号（ｌｏ）は包絡曲線検出器（ＥＮＶ）により作成されたミラー信号である、請求項１記載の方法。
【請求項５】
下側包絡曲線信号（ｌｏ）を傾斜制御器（ＴＩＥＲ）の上流側で変調信号（ＭＯ）と乗算し、該変調信号を、走査ビームを光学的記録担体（ＯＤ）へ垂直に配向するための傾斜制御器（ＴＩＥＲ）の出力信号に加算する、請求項１記載の方法。
【請求項６】
変調信号（ＭＯ）として５０％のゼロ信号成分を有する対称性矩形信号を使用する、請求項１記載の方法。
【請求項７】
光学的記録担体（ＯＤ）から検出された高周波信号（ＨＦ）の下側包絡曲線信号（ｌｏ）を変調信号（ＭＯ）と乗算し、制御偏差を形成するために積分ないしローパスフィルタリングし、
前記制御偏差は、光学的記録担体（ＯＤ）に向けられた走査ビームの垂直からの偏差に相応する、請求項１記載の方法。
【請求項８】
光学的記録担体（ＯＤ）のための再生または記録装置に対する、走査ビームの傾斜制御部を有する装置において、
傾斜制御器（ＴＩＥＲ）の入力端と乗算器（ＭＵ）が接続されており、
該乗算器の入力端は、光学的記録担体（ＯＤ）から検出された高周波信号の下側包絡曲線信号（ｌｏ）を作成する端子と、変調器（ＭＯＤ）とに接続されており、
該変調器は傾斜制御器（ＴＩＥＲ）の出力端と接続されており、
該傾斜制御器は、光学的記録担体（ＯＤ）に向けられた走査ビームの傾斜を変化させるための手段と接続されている、
ことを特徴とする装置。
【請求項９】
変調器（ＭＯＤ）と傾斜制御器（ＴＩＥＲ）の出力端との接続部は加算器（＋）である、請求項８記載の装置。
【請求項１０】
光学的記録担体（ＯＤ）から検出された高周波信号（ＨＦ）の下側包絡曲線信号（ｌｏ）を作成する端子は包絡曲線検出器（ＥＮＶ）である、請求項８記載の装置。
【請求項１１】
光学的記録担体（ＯＤ）から検出された高周波信号（ＨＦ）の下側包絡曲線信号（ｌｏ）を作成する端子は掃引信号検出器（ＷＯＢ）である、請求項８記載の装置。
【発明の詳細な説明】
【技術分野】
【０００１】
本発明は、傾斜制御部を備える、光学的記録担体のための再生または記録装置のための方法および装置に関するものであり、傾斜制御部は走査ビームを例えばＣＤ、ＤＶＤ、またはブルーディスクである光学的記録担体に対して垂直の方向に配向する。
【背景技術】
【０００２】
光学的記録担体、例えばＣＤ、ＤＶＤ、またはブルーディスクはしばしば半径方向で外側、上方、または下方に湾曲しており、走査ビームを記録担体の焦点方向でトラックに向けるだけの通常の走査装置では記録も再生もできないことがある。このことはとりわけ複数の層が統合された記録担体、例えばＤＶＤに当てはまる。内側から外側に向かって湾曲した記録担体は湾曲の形状から傘ディスクとも称される。このようなディスクの表面は、半径ティルトと称される傾斜を面に対して有しており、そのため走査ビームを記録担体に対して垂直に配向するには走査装置またはアクチュエータを傾斜させることが必要である。なぜなら情報を最適に記録または再生することは走査ビームが記録担体に垂直に配向される場合に保証されるからである。ディスクの反りとして知られる記録担体の湾曲は記録担体の各回転ごとに繰り返され、通常は半径方向と接線方向のティルトを引き起こす。
【０００３】
走査装置を傾斜することにより走査ビームを記録単担体に垂直に配向する装置はすでにＵＳ−Ａ５０３４９３９から公知である。この装置では、記録担体から読出されたデータ信号のエラー率が走査ビームの垂直配向ないし傾斜変化のために使用される。ここでは最小のエラー率が最適の傾斜補正に相応する。
【０００４】
さらにＵＳ−Ａ５００１６９０によればティルトサーボ回路が公知である。この回路により走査ビームの傾斜角が、再生される情報信号ないし記録担体から検出されるＲＦ信号の最大レベルが達成されるように変化される。
【０００５】
しかしエラー率やＲＦ信号のレベルは傾斜以外に他の多数の要因によっても影響を受ける。これは例えば傷、いわゆるブラックドット、ピットの窪み、ディスクの反射率、および焦点オフセットなどである。とりわけ傷や、走査ビームの傾斜以外に検出される高周波信号に影響を与える要因は傾斜角の不要な補正を引き起こすことがあり、そのため情報の走査または記録が記録担体への垂直が変位することにより不利な影響を受ける。さらに傾斜角の変化方向は、前もって傾斜角を変化し、エラー率またはＨＦ信号レベルの上昇または低下が生じて初めて決められる。そのためまず間違った方向が選択され、傾斜角の直接的補正を実行できないことがある。さらに機器の中央演算ユニットが、傾斜角の変化方向をエラー率またはＨＦ信号レベルの上昇または低下に依存して決定することにより負荷される。走査ビームの傾斜以外に検出される高周波信号に影響を与える要因を傾斜制御から除外するため、傾斜制御のために付加的な傾斜センサも使用されている。しかしこのことはコストの上昇を必要とする。
【特許文献１】ＵＳ−Ａ５００１６９０
【特許文献２】ＵＳ−Ａ５００１６９０
【発明の開示】
【発明が解決しようとする課題】
【０００６】
本発明の課題は、付加的な傾斜センサを使用せずに前記の欠点を十分に除去し、低コストで実現可能な傾斜制御部を備える、光学的記録担体のための再生または記録装置のための方法および装置を提供することである。
【課題を解決するための手段】
【０００７】
この課題は、光学的記録担体から検出された高周波信号の、検出された高周波信号のダーク値を表わす下側包絡曲線信号を傾斜制御に使用することにより解決される。
【発明を実施するための最良の形態】
【０００８】
本発明では、光学的記録担体のための再生または記録装置における走査ビームを、付加的な傾斜センサなしで、走査ビームの傾斜以外に検出される高周波信号に影響を与える他の要因からほぼ影響を受けずに記録担体に垂直に配向する。情報の記録または再生のために設けられた走査ビームは傾斜制御により記録担体の面からの偏差に追従するか、または走査ビームを形成する走査装置が傾斜位置にある場合に、記録担体に対して垂直に配向される。傾斜制御による記録担体への走査装置の垂直配向には、記録および再生が改善される他に、記録または再生装置の製造時に走査装置の調整プロセスを比較的低い精度で実行できるという利点がある。同様に本発明の目的は、走査ビームを記録担体に対して垂直に配向することにより、できるだけ大きな高周波信号を記録担体から検出することであるが、走査ビームの傾斜以外に高周波信号の振幅ないしレベルに影響を及ぼす他の要因を走査ビームの傾斜制御から十分に排除すべきである。さらにいわゆるトライ・アンド・エラー原理に基づく制御並びに付加的な傾斜センサを回避すべきである。
【０００９】
従って、記録担体から検出された高周波信号の下側包絡線信号またはミラー信号に基づく傾斜制御が行われる。この下側包絡線信号またはミラー信号は、光学的記録担体から検出された高周波信号のダーク値に相応する。下側包絡線信号またはミラー信号は変調信号と乗算され、制御偏差を形成するために積分される。この制御偏差は、走査ビームの光学的記録担体に対する傾斜に相応する。
【００１０】
記録担体に配向される走査ビームの傾斜を調整する手段の制御信号に供給される前記変調信号は、実施例によれば、ゼロ信号フェーズないし休止後に極性を交番する矩形信号である。変調信号の振幅は実施例では、これが走査ビームの傾斜を約１／３０゜ないし２分だけ変化させるように選択されている。
【００１１】
実施例では、変調信号として周波数４Ｈｚと所定の振幅を有する対称性矩形信号が使用される。この矩形信号は５０％のゼロ成分を有する。しかし基本的に他の信号形状、例えば正弦波信号、三角信号、または鋸歯信号を変調信号として使用することもできる。周波数に関しては、記録担体の少なくとも１回転に相応する周期時間を有する変調信号が有利であるが、傾斜制御の速度に対する要求を勘案して他の周波数を選択することもできる。
【００１２】
記録担体から検出された高周波信号の下側包絡線信号ないしダーク値を傾斜制御に使用することによって、記録担体から検出される高周波信号の振幅ないしレベルに同様に影響する他の要因が傾斜制御に不利に作用するのが阻止される。傾斜制御に使用される変調信号は、記録担体から検出される高周波信号中でほぼ検出不可能であるように選択される。傾斜角は記録担体の走査中に比較的緩慢に変化するから、傾斜制御のための変調信号の周波数は低くても十分である。下側包絡線信号を変調信号と乗算し、引き続き積分することにより、走査ビームと記録担体上での垂直との偏差を表わす制御偏差が直接的に検出され、これによりダイナミックかつ直接的に傾斜制御を行うことができる。
【００１３】
この方法を記録または再生装置で実現するために、有利にはこの種の機器にすでに存在する構成群を使用することができる。例えばこの種の機器にはすでに、いわゆるミラー信号検出器がトラック変化を検出するために設けられており、この検出器はミラー信号と称される下側包絡線信号を作成する。走査ビームが記録トラックを去るときに、通常は開トラック制御回路でだけ使用されるミラー信号が、ここでは閉トラック制御回路で傾斜制御のために使用される。
【００１４】
傾斜角制御回路を実現するために、乗算器、変調器、および傾斜制御器が設けられており、例えばデジタル回路装置として実現される回路装置は僅かなコストしか要求しない。包絡線検出器または掃引信号検出器により作成された下側包絡線の信号は乗算器に供給される。この乗算器は変調信号作成のための変調器と接続されている。包絡線信号を変調信号と乗算することにより包絡線信号が変調信号に相関付けられ、その結果、信号を少なくとも１周期時間にわたって積分すると傾斜に相当する制御偏差が形成され、この制御偏差は乗算器に接続された傾斜制御器に供給される。この傾斜制御器の出力端は変調器、および走査ビームの傾斜を調整する手段と接続されている。傾斜制御器の出力信号により、アクチュエータで走査ビームの傾斜のためのコイルが制御される。このコイルはトラッキングサーボまたはフォーカシングのためのコイルと同等であり、同等の伝達特性を有する。これにより１００Ｈｚ以上の領域での高速な傾斜角変化が可能になる。
【００１５】
光学的記録担体のための記録または再生装置にデジタルサーボ制御回路と共に存在し、走査装置の制御のため、および走査装置により記録担体から検出された信号をデジタル化するために使用されるＡ／Ｄ変換器およびＤ／Ａ変換器を、同様に傾斜制御器のために使用することができる。なぜなら信号の周波数が低いからである。走査ビームを記録担体に垂直に配向するために公知の３Ｄアクチュエータを使用することができる。この３Ｄアクチュエータはコイルまたはモータにより走査ビームの記録担体に対する傾斜角を調整する。
【００１６】
記録装置で使用される記録担体は通常、再生装置で高周波信号を形成する記録情報を含んでいないが、本発明の方法および装置は記録装置にも再生装置にも適用することができる。なぜなら情報を記録するためのこの種の記録担体は掃引トラックを有しており、この掃引トラックは、掃引信号検出器により検出される高周波信号を同様に形成するからである。
【００１７】
提案された傾斜制御回路は付加的なプロセッサ能力を必要としない。従って機器の中央演算ユニットが傾斜角変化の方向を決定することにより負荷されることがない。
【実施例】
【００１８】
本発明を以下、図面に示された実施例に基づき詳細に説明する。
【００１９】
光学的記録担体のための記録または再生装置は走査装置ＰＵを有しており、この走査装置により図１には示されていない光学的記録担体ＯＤが走査される。走査装置ＰＵは、走査ビームを光学的記録担体ＯＤ上でトラッキングサーボおよびフォーカシングするためのトラックエラー信号ＴＥおよびフォーカスエラー信号ＦＥにより公知のように制御される。光学的記録担体ＯＤから反射された光はフォト検出器Ａ〜Ｆにより検出され、デジタルサーボ制御回路で少なくとも１つのＡ／Ｄ変換器Ａ／Ｄおよび／または信号形成手段ＳＧを介して、トラッキングサーボおよびフォーカシング制御のための制御器に供給される。
【００２０】
さらに走査装置ＰＵは光学的記録担体ＯＤから検出された高周波信号ＨＦを形成する。この高周波信号ＨＦは光強度に相応する。ＨＦ信号をハイパスフィルタリングすることにより、復元された情報信号が形成される。高周波信号ＨＦは公知のように包絡線検出器ＥＮＶに供給される。包絡線検出器は、いわゆるランドの強度に相当する上側包絡線信号ｕｐと下側包絡線信号ｌｏを形成する。下側包絡線信号はピットの強度に相当する。この包絡線信号ｕｐ，ｌｏは光学的記録担体ＯＤのための記録または再生装置で作成され、これにより一般的に光学的記録担体ＯＤ上でのトラック変化または障害を高い信頼性を以て評価することができる。
【００２１】
下側包絡線ｌｏはまたミラー信号とも称される。このミラー信号は通常、開トラック制御回路でトラック変化をシグナリングするために使用される。ミラー信号の概念は、走査ビームがトラック変化の際に光学的記録担体ＯＤのミラー面を横切ることに基づくものである。
【００２２】
包絡線検出器ＥＮＶにより高周波信号ＨＦから形成される上側包絡線信号ｕｐと下側包絡線信号ｌｏは図１２，１４，１６に示されている。図１２，１４，１６は異なるレベルないし異なる振幅を有する高周波信号ＨＦを示し、この信号は光学的記録担体ＯＤへの走査ビームの傾斜により影響を受ける。光学的記録担体への走査ビームの傾斜に関しては基本的に半径方向の傾斜と接線方向の傾斜を区別する。これは図６と図７に示されている。
【００２３】
図６は、光学的記録担体ＯＤの記録トラックに対する走査ビームの接線方向傾斜を示し、光学的記録担体ＯＤへの垂直に対する走査ビームの傾斜角βが接線方向傾斜角βである。接線方向傾斜角βにより、光学的記録担体ＯＤのビットが場合により変化した長さで読出されてしまう。また半径方向傾斜角αにより、光学的記録担体ＯＤから走査された高周波信号ＨＦのレベルないし振幅が小さくなってしまう。高周波信号ＨＦのレベルないし振幅の減少は、走査ビームが光学的記録担体ＯＤへの垂直に対して傾斜することにより走査光点が広くなるためである。円形であると仮定されるビームが傾斜の際には楕円面として反射される。ビームがランド上に存在するとき、楕円面は完全にミラー面に相応し、走査ビームの強度は傾斜には依存しない。ビームがピット上に存在するとき、強度が変化する。なぜなら、ビームが垂直に入射するときだけ最適のピット強度ないし最適のダーク値が消去により達成されるからである。
【００２４】
走査ビームはフォーカス制御回路により光学的記録担体にフォーカシングされ、これにより図１０に示すように、光学的記録担体ＯＤに対して垂直に配向されている場合には、所定の直径を有する円形の光点が光学的記録担体ＯＤの情報トラックＴに結像される。光学的記録担体ＯＤから反射された光は走査装置ＰＵにより検出される。走査装置ＰＵは公知の実施例に相応して、４象元Ａ，Ｂ，Ｃ，Ｄからなる１つのフォト検出器をメインビームに対して有し、さらに２つのサブビーム検出器Ｅ，Ｆを有する。サブビーム検出器Ｅ，Ｆの信号により通常は、ＣＤ記録担体ＯＤに対するトラックエラー信号ＴＥが形成され、和信号とメインビーム検出器の象元に対する差信号によりフォーカスエラー信号が形成され、象元Ａ，Ｂ，Ｃ，Ｄの和信号から情報信号ないし高周波信号ＨＦが形成される。
【００２５】
この種の走査装置ＰＵのフォーカス制御回路は走査装置ＰＵの対物レンズを１つの位置に制御し、これによりフォト検出器に常に円形の光点が結像されるようにする。光学的記録担体ＯＤに向けられた走査ビームが図９に示すように傾斜角αにあるとき、走査ビームは幅ｂを以て反射され、検出される。しかし走査ビームは光学的記録担体ＯＤ上では広がりａの面を照明する。この広がりａは半径方向傾斜αの場合、比較的に広い走査光点となり、光学的記録担体ＯＤの情報トラック幅Ｔに対して広がりａを有している。
【００２６】
しかし凹部ないし隆起部により形成された情報記憶要素（いわゆるポット、または書き込み可能光学的記録担体ＯＤの場合はいわゆるトレンチ）を有する光学的記録担体ＯＤの走査は弱め合う干渉の原理に基づくものである。従って記録担体ＯＤから反射された走査ビームを消去するために、同時に照射される隆起部と凹部との間の所定の関係を維持しなければならない。この関係は、走査光点が光学的記録担体ＯＤの情報トラック幅Ｔに対して広がるａときに破壊されてしまう。
【００２７】
情報トラック間に存在するミラー面から反射される光の成分は、凹部ないし情報トラックから反射される光の成分よりも大きい。記録担体ＯＤの情報トラックを形成する凹部は、走査ビームが消去されるような位相シフトが生じるように選択されているから、広い走査光点によって記録担体ＯＤからは比較的に小さなダーク値が検出される。これに対して記録担体ＯＤのトラック間または凹部の外で記録担体から反射された光の最大値は一定のままである。
【００２８】
記録担体ＯＤの情報担体層の凹部と隆起部の変化は走査装置ＰＵにより高周波信号ＨＦとして検出される。記録担体から反射される走査ビームの消去が減少すると、高周波信号ＨＦのレベルないし振幅が低下する。なぜなら高周波信号ＨＦのレベルないし振幅は高周波信号ＨＦの最大値と最小値との差だからである。高周波信号ＨＦの最大値は上側包絡線信号ｕｐを形成し、高周波信号ＨＦの最小値は高周波信号ＨＦの下側包絡線信号ｌｏを形成する。下側包絡線信号ｌｏは記録担体ＯＤから反射された信号のダーク値を表わすから、下側包絡曲線Low Envと、走査装置ＰＵのフォト検出器の象元Ａ〜Ｄにより検出される最大値AD-Maxとの比は、走査ビームが記録担体ＯＤに垂直に配向されているときに最小である。これは図１１に示されている。走査ビームが記録担体ＯＤに垂直に配向されていることからの偏差Tiltと、偏差のない配向Tilt0の比が図１１の横軸に示されている。従って図１１は、下側包絡線ないし下側包絡線信号ｌｏと記録担体ＯＤへの走査ビームの半径方向傾斜との関係を示す。高周波信号ＨＦの振幅ないしレベルをできるだけ大きくするためには、走査ビームないし走査装置ＰＵの光軸ＯＡを、光学的記録担体ＯＤが湾曲していても常に光学的記録担体ＯＤに対して垂直に配向すべきである。このことは図２と図３に示されている。
【００２９】
記録担体ＯＤの湾曲度は通常は、内側半径ＩＤＲから中央半径ＭＤＲを介して外側半径ＯＤＲに向かって増大する。ここで光学的記録担体ＯＤは図２に示す方に上方に、または図３に示すように下方に湾曲している。さらに光学的記録担体ＯＤが所定の半径までは上方に、続いて下方に、またはその反対に湾曲することもある。しかし最小の湾曲度は通常は、光学的記録担体ＯＤの内側半径ＩＤＲで発生する。
【００３０】
光軸ＯＡを光学記録担体ＯＤへの垂直方向に対して傾斜させることは、記憶密度の低い光学的記録担体ＯＤ、例えばＣＤに対しては行われず、また必要もない。従って図４に例として示したような走査装置ＰＵで十分である。
【００３１】
図４に示した光学的走査装置ＰＵは対物レンズＯＬを有し、この対物レンズはレンズホルダＬＨに取り付けられている。レンズホルダは４つのワイヤＳＰＷを介してエラスティックにワイヤ支持体ＷＨに支持されている。ワイヤ支持体ＷＨは基板ＡＰに取り付けられており、基板は磁石Ｍも支持する。レンズホルダＬＨには焦点コイルＦＣとトラック案内コイルＴＣが設けられている。これらのコイルは対物レンズをトラック方向および／または焦点方向でワイヤＳＰＷを介して偏向するために制御される。レンズホルダＬＨの下方には図示されていないが、レーザおよびフォト検出器が走査ビームの形成および検出のために配置されている。
【００３２】
走査装置ＰＵは通常、粗駆動部の上に配置されており、これにより光学的記録担体ＯＤを情報担体層の全領域で走査することができる。この種の走査装置は図５に示すように、光学的記録担体ＯＤの湾曲を考慮しない。走査装置ＰＵの光軸ＯＡは製造工程で記録担体ＯＤに対して垂直に配向されており、光軸ＯＡのこの配向は湾曲した記録担体ＯＤを走査する間も、ワイヤＳＰＷにより形成される平行案内によって維持される。光軸ＯＡを、図２および図３に示したような湾曲した記録担体ＯＤでも常に記録担体ＯＤに対して垂直に配向するため、すでに次のような走査装置ＰＵが公知である。すなわちこの走査装置では、光軸ＯＡが図４に示した走査装置ＰＵの傾斜によって光学的記録担体ＯＤの湾曲に適合される。この走査装置の傾斜はモータまたは対物レンズＯＬの傾斜により形成される。
【００３３】
対物レンズＯＬを傾斜させるために付加的なコイルが設けられており、このコイルによりレンズホルダＬＨないしは対物レンズＯＬが付加的にフォーカス方向およびトラック方向の運動に対して傾斜される。走査装置ＰＵの光軸ＯＡを傾斜させるための手段に依存しないで制御回路が設けられており、この制御回路により光軸ＯＡは光学的記録担体ＯＤの湾曲に相応に追従され、記録担体ＯＤに湾曲があっても、または走査装ＰＵが斜め位置であっても中立位置では常に走査ビームが光学的記録担体ＯＤに対して垂直に配向されることが保証される。
【００３４】
傾斜制御のための公知の制御回路の欠点を回避するために別の制御回路が設けられており、この別の制御回路では光学的記録担体ＯＤから走査された高周波信号ＨＦのダーク値を表わす包絡曲線が使用される。この包絡曲線は通常は、光学的記録担体ＯＤから検出された高周波信号ＨＦの下側包絡曲線信号ｌｏである。下側包絡曲線ｌｏは図１２に示すように、補正すべき走査ビームが記録担体ＯＤに対して傾斜するとき、ゼロラインＮに対しては比較的に大きな間隔を、高周波信号ＨＦの上側包絡曲線ｕｐに対しては比較的小さな間隔を有する。
【００３５】
（記録担体ＯＤに記憶された情報の再生に必要な）検出された高周波信号ＨＦのレベルないし振幅は、走査ビームが垂直に配向されている場合と比較して、図１２および図１６に示されているように減少する。走査ビームの傾斜を補正するために、変調信号ＭＯが使用される。この変調信号ＭＯは原理を分かり易くするために、図１３，１５，１７では拡大された縮尺で示されている。実施例に相応して、５０％のゼロ成分を有する、周波数４Ｈｚの対称性矩形信号である変調信号ＭＯが使用される。５０％のゼロ成分を有する対称性矩形信号によりここでは、異なる曲線の矩形パルス期間の間、それぞれ同じ長さのゼロ信号により相互に分離されて交番する信号が示されている。しかし基本的にゼロラインに対して対称である、周波数の異なる別の信号を変調信号として使用することができる。下側包絡曲線ｌｏは一方では変調信号ＭＯにより乗算され、他方では記録担体ＯＤへ走査ビームの傾斜を変更するための制御信号に加算される。変調信号ＭＯを、走査ビームの検査を変更するために設けられた制御信号に加算することによって下側包絡線ｌｏが、図１４に原理の説明のために示されたように変化される。しかしこの図示は純粋に理論的なものである。なぜなら変調は、高周波信号ＨＦをオシログラフで観察しても検知することはほとんどできないからである。
【００３６】
実施例に相応して、走査ビームの光軸の傾斜が約１／３０゜ないし２分だけ生じるような振幅の変調信号ＭＯが使用された。変調信号ＭＯは、図１３から図１５で分かり易くするため誇張して示されたように図１４でも同様に誇張して示された高周波信号ＨＦの下側包絡曲線ｌｏにおいて、走査ビームの運動が垂直の配向を越えるときにダーク値を減少させる。対称性変調信号ＭＯが使用されていても、高周波信号ＨＦの下側包絡曲線ｌｏでの作用は、走査ビームが傾斜しているか、または垂直から偏差する場合には非対称ないし不均等である。下側包絡曲線ｌｏは、変調信号ＭＯとの相関によって非対称性を有し、この非対称性が走査ビームの傾斜の制御に使用される。このために下側包絡曲線信号ｌｏは、制御偏差の供給される傾斜制御器ＴＩＥＲの上流で変調信号と乗算される。走査ビームが記録担体ＯＤに対して垂直に配向されていれば、このことは図１６に示すように高周波信号ＨＦのレベルないし振幅を最大にする。なぜなら最大の消去が生じ、これにより下側包絡曲線信号ｌｏの最小値が達成されるからである。図１６には分かり易くするため、下側包絡線信号ｌｏの変調が示されている。しかしこの変調は実際にはほとんど検出できない。
【００３７】
変調信号ＭＯの正の振幅も負の振幅もダーク値を低減する。このダーク値は、記録担体ＯＤに走査ビームが垂直に配向されているときに変調信号ＭＯの２つの方向に対して等しく、従って制御偏差はゼロである。走査ビームの傾斜が９０゜から異なると、加算器＋を介して、走査ビームの傾斜を調整するための制御信号に加算された変調信号ＭＯは非対称に変調される。これにより変調信号ＭＯの１期間にわたって積分すると制御偏差を検出することができる。
【００３８】
下側包絡曲線信号ｌｏを傾斜制御に使用することによって、同様に高周波信号ＨＦのレベルないし振幅に作用する他の要因が傾斜制御から除外され、公知の解決手段の欠点が回避される。傷、指紋または表面の他の汚れまたは障害は一般的に光学的記録担体の反射率を低下させる。これによりとりわけ上側包絡曲線ｕｐおよび高周波信号ＨＦのレベルないし振幅が影響を受ける。さらに前記の光学的記録担体ＯＤの汚れまたは障害によって、検出される情報信号中のエラー率も高まる。高周波信号ＨＦのこの種の要因は走査ビームの傾斜に依存せずに影響するから、その影響は、検出された高周波信号ＨＦのダーク値を表わす下側包絡曲線信号ｌｏを使用することによって傾斜制御から除外される。傾斜制御に付加的な傾斜センサを使用することなしに、走査ビームの傾斜に依存しないで高周波信号ＨＦに影響する他の要因が傾斜制御に及ぼす影響を十分に排除できる。
【００３９】
包絡曲線信号ｌｏ，ｕｐは、高周波信号ＨＦから容量的結合によっても、直流的結合によっても形成される。ここでは包絡曲線検出器ＥＮＶをフォト検出器に直流的に結合するのが有利であることが判明した。さらに図１に示すような傾斜制御回路をデジタル制御回路として構成することができる。この場合、すでに記録または再生装置にすでに備わっている構成群を使用することができる。光学的記録担体に対する再生装置では、フォト検出器Ａ，Ｂ，Ｃ，Ｄの高周波和信号がハイパスフィルタリングの後に情報信号として使用される。この信号はいわゆる再現された信号としてＲＦと略して示されている。しかし再現された信号は、高周波信号ＨＦが包絡線信号ｌｏ，ｕｐを形成するために使用する特性を失っている。
【００４０】
まだ情報信号が記憶されていない光学的記録担体ＯＤには記録装置で情報が書き込まれる。しかしこの種の記録担体ＯＤはすでに記録前にいわゆる溝を掃引トラックの形態で有しており、これが情報の記録に使用される。光学的記録担体ＯＤの掃引トラックは記録担体ＯＤ上で位置を検出するのにも使用される。この掃引トラックは同様に走査装置ＰＵにより検出され、すでに記録された情報を有する光学的記録担体と同じように高周波信号ＨＦを送出する。この高周波信号は掃引信号ＷＯＢと称される。光学的記録担体ＯＤに対する記録装置では、掃引信号ＷＯＢの下側包絡曲線が傾斜制御に使用される。
【００４１】
この方法を実現するための相応の回路構成が図８に示されている。図８は図１に対して、包絡曲線検出器ＥＮＶが掃引信号検出器ＷＯＢにより置換されている点でだけ異なる。掃引信号ＷＯＢの下側包絡曲線信号ｌｏは同様に高周波信号ＨＦないし掃引信号ＷＯＢのダーク値を表わす。従ってこの方法および装置は記録装置および再生装置に対して同様に適用することができる。光学的記録担体ＯＤから検出された高周波信号ＨＦの下側包絡曲線信号ｌｏは変調信号ＭＯと乗算され、制御偏差を形成するために積分ないしローパスフィルタリングされる。この制御偏差は、光学的記録担体ＯＤに向けられた走査ビームの垂直からの偏差に相応する。傾斜制御回路を実現するために図１に相応して、乗算器ＭＵ、変調器ＭＯＤおよび傾斜制御器ＴＩＥＲが設けられており、従って回路構成は僅かなコストしか必要としない。変調器ＭＯＤは乗算器ＭＵおよび加算器＋と接続されており、加算器＋は傾斜制御器ＴＩＥＲの出力端と接続されている。同様に下側包絡曲線信号ｌｏの供給される乗算器ＭＵは傾斜制御器ＴＩＥＲの入力端と接続されている。傾斜制御器ＴＩＥＲの出力端は図１に示すようにデジタル／アナログ変換器Ｄ／Ａを介して走査装置ＰＵと接続されており、走査装置は走査ビームの傾斜を調整するための手段を有する。
【００４２】
ここに説明した実施形態は例として示したものであり、当業者であれば本発明の別の実施形態を本発明の枠内で実現することができる。
【図面の簡単な説明】
【００４３】
【図１】光学的記録担体に対する再生装置の傾斜制御のための回路構成のブロック回路図である。
【図２】上方に湾曲した記録担体における走査ビームの配向の基本を示す図である。
【図３】下方に湾曲した記録担体における走査ビームの配向の基本を示す図である。
【図４】公知の光学的走査装置の基本構成を示す図である。
【図５】走査ビームを公知の光学的走査装置により配向するための基本を示す図である。
【図６】走査ビームを記録担体に対して接線方向に傾斜させるための基本図である。
【図７】走査ビームを記録担体に対して半径方向に傾斜させるための基本図である。
【図８】光学的記録担体に対する記録装置での傾斜制御に対する回路装置のブロック回路図である。
【図９】走査ビーム制御を説明するための基本図である。
【図１０】走査ビームが傾斜した際の走査変化を示す基本図である。
【図１１】下側包絡曲線と走査ビームの傾斜との関係を示す線図である。
【図１２】傾斜が大きい場合の高周波信号を説明する線図である。
【図１３】変調信号を示す線図である。
【図１４】傾斜が小さい場合の高周波信号を説明する線図である。
【図１５】変調信号を示す線図である。
【図１６】走査ビームが垂直に配向されている場合の高周波信号を説明する線図である。
【図１７】変調信号を示す線図である。
【符号の説明】
【００４４】
ＰＵ  走査装置
ＯＤ  光学的記録担体
Ａ／Ｄ  アナログ／デジタル変換器
Ａ〜Ｆ  フォト検出器
ＨＦ  高周波信号
ＥＮＶ  包絡曲線検出器
【図１】
2004335090.tif 000003
【図２】
2004335090.tif 000004
【図３】
2004335090.tif 000005
【図４】
2004335090.tif 000006
【図５】
2004335090.tif 000007
【図６】
2004335090.tif 000008
【図７】
2004335090.tif 000009
【図８】
2004335090.tif 000010
【図９】
2004335090.tif 000011
【図１０】
2004335090.tif 000012
【図１１】
2004335090.tif 000013
【図１２】
2004335090.tif 000014
【図１３】
2004335090.tif 000015
【図１４】
2004335090.tif 000016
【図１５】
2004335090.tif 000017
【図１６】
2004335090.tif 000018
【図１７】
2004335090.tif 000019